(57)【要約】【課題】  企画内容の変更および設計内容の変更を企画部門および設計部門の相互間で適切に知らせることができ、しかも変更内容を企画および設計にそれぞれ適切に反映させることが可能な企画・設計連携システムおよび企画・設計連携方法を提供する。【解決手段】  企画用プロジェクト文書の各要求仕様項目のいずれかに内容の変更があったとき、その内容の変更を設計仕様テンプレート上で報知する。設計用プロジェクト文書の各設計仕様項目のいずれかに内容の変更があったとき、その内容の変更を企画仕様テンプレート上で報知する。【選択図】      図２
2006227917.tif 000002
【特許請求の範囲】
【請求項１】
複数の要求仕様項目からなる企画用文書を生成するための要求仕様テンプレートが記憶された記憶手段と、
複数の設計仕様項目からなる設計用文書を生成するための設計仕様テンプレートが記憶された記憶手段と、
前記企画用文書の各要求仕様項目のいずれかに内容の変更があったとき、その内容の変更を前記設計仕様テンプレート上で報知する制御手段と、
前記設計用文書の各設計仕様項目のいずれかに内容の変更があったとき、その内容の変更を前記企画仕様テンプレート上で報知する制御手段と、
を備えたことを特徴とする企画・設計連携システム。
【請求項２】
複数の要求仕様項目からなる企画用文書を生成するための要求仕様テンプレートを記憶するステップと、
複数の設計仕様項目からなる設計用文書を生成するための設計仕様テンプレートを記憶するステップと、
前記企画用文書の各要求仕様項目のいずれかに内容の変更があったとき、その内容の変更を前記設計仕様テンプレート上で報知するステップと、
前記設計用文書の各設計仕様項目のいずれかに内容の変更があったとき、その内容の変更を前記企画仕様テンプレート上で報知するステップと、
を備えたことを特徴とする企画・設計連携方法。
【発明の詳細な説明】
【技術分野】
【０００１】
この発明は、製品の企画部門と設計部門との間の連携を図る企画・設計連携システムおよび企画・設計連携方法に関する。
【背景技術】
【０００２】
製品の開発段階では、企画部門から製品の企画が出され、その企画が設計部門で検討されて製品が設計される。
【０００３】
企画部門と設計部門との間の連携は、電話や電子メールを用いた個人レベルの判断に委ねられている。このため、企画部門が作成する企画用プロジェクト文書の内容に変更があっても、その変更内容が設計部門に適切に伝わらないことがある。また、設計部門が作成する設計用プロジェクト文書の内容に変更があっても、その変更内容が企画部門に適切に伝わらない場合もある。
【０００４】
企画部門と設計部門との間の連携をとる手段として、企画用プロジェクト文書および設計用プロジェクト文書などを企画部門および設計部門の両方で共有することが考えられる。この共有化の例として、複数の端末のいずれか１つからのデータの書込みが終了した時点で、その書込みによるデータの変更を他のすべての端末に連絡するシステムがある（例えば特許文献１）。
【特許文献１】特開平０７−１８２２９２号公報
【発明の開示】
【発明が解決しようとする課題】
【０００５】
上記のような連絡システム（ある端末からのデータ変更を他のすべての端末に連絡するシステム）を、企画部門および設計部門の連携手段として採用することが考えられる。
【０００６】
しかしながら、この場合、相手方に連絡がいくだけで、連絡の内容を企画および設計にそれぞれ適切に反映させることまでは不可能である。
【０００７】
この発明は、上記の事情を考慮したもので、企画内容の変更および設計内容の変更を企画部門および設計部門の相互間で適切に知らせることができ、しかも変更内容を企画および設計にそれぞれ適切に反映させることが可能な企画・設計連携システムおよび企画・設計連携方法を提供することを目的としている。
【課題を解決するための手段】
【０００８】
請求項１に係る発明の企画・設計連携システムは、複数の要求仕様項目からなる企画用文書を生成するための要求仕様テンプレートが記憶された記憶手段と、複数の設計仕様項目からなる設計用文書を生成するための設計仕様テンプレートが記憶された記憶手段と、上記企画用文書の各要求仕様項目のいずれかに内容の変更があったとき、その内容の変更を上記設計仕様テンプレート上で報知する制御手段と、上記設計用文書の各設計仕様項目のいずれかに内容の変更があったとき、その内容の変更を上記企画仕様テンプレート上で報知する制御手段と、を備えている。
【０００９】
請求項２に係る発明の企画・設計連携方法は、複数の要求仕様項目からなる企画用文書を生成するための要求仕様テンプレートを記憶するステップと、複数の設計仕様項目からなる設計用文書を生成するための設計仕様テンプレートを記憶するステップと、上記企画用文書の各要求仕様項目のいずれかに内容の変更があったとき、その内容の変更を上記設計仕様テンプレート上で報知するステップと、上記設計用文書の各設計仕様項目のいずれかに内容の変更があったとき、その内容の変更を上記企画仕様テンプレート上で報知するステップと、を備えている。
【発明の効果】
【００１０】
この発明の企画・設計連携システムおよび企画・設計連携方法によれば、企画内容の変更および設計内容の変更を企画部門および設計部門の相互間で適切に知らせることができ、しかも変更内容を企画および設計にそれぞれ適切に反映させることができる。
【発明を実施するための最良の形態】
【００１１】
以下、この発明の一実施形態について図面を参照して説明する。  
図１に示すように、製品を製造する会社の企画部門に、企画情報を入力するための入力手段として、パーソナルコンピュータ等の端末１ａ…１ｎがそれぞれ設置されている。これら端末１ａ…１ｎは、企画部門の各担当者に割り当てられている。また、同会社の設計部門に、設計情報を入力するための入力手段として、パーソナルコンピュータ等の端末２ａ…２ｎが設置されている。これら端末２ａ…２ｎは、設計部門の各担当者に割り当てられている。
【００１２】
これら端末１ａ…１ｎおよび２ａ…２ｎは、通信ネットワーク３に接続されている。  
通信ネットワーク３には、さらに、同会社の管理センタに設置されている業務処理用のコンピュータいわゆるサーバ１０が接続されている。サーバ１０には、制御プログラムメモリ１１、要求仕様テンプレートメモリ１２、設計仕様テンプレートメモリ１３、企画用プロジェクト文書メモリ１４、および設計用プロジェクト文書メモリ１５が接続されている。
【００１３】
制御プログラムメモリ１１には、企画部門と設計部門との連携を管理するための管理プログラムが記憶されている。
【００１４】
要求仕様テンプレートメモリ１２には、複数の要求仕様項目からなる企画用プロジェクト文書（企画用文書）を生成するための要求仕様テンプレート（要求特性テンプレートともいう）が記憶されている。
【００１５】
設計仕様テンプレートメモリ１３には、複数の設計仕様項目からなる設計用プロジェクト文書（設計用文書）を生成するための設計仕様テンプレート（仕様項目テンプレートともいう）が記憶されている。
【００１６】
企画用プロジェクト文書メモリ１４には、要求仕様テンプレートメモリ１２内の要求仕様テンプレートおよび端末１ａ…１ｎからの入力情報に基づいて生成される各企画用プロジェクト文書が逐次に記憶される。
【００１７】
設計用プロジェクト文書メモリ１５には、設計仕様テンプレートメモリ１３内の設計仕様テンプレートおよび端末２ａ…２ｎからの入力情報に基づいて生成される各設計用プロジェクト文書が逐次に記憶される。
【００１８】
要求仕様テンプレート、企画用プロジェクト文書、設計仕様テンプレート、設計用プロジェクト文書のそれぞれのフォーマットを図２に示している。  
すなわち、要求仕様テンプレートは、複数の要求仕様項目Ａ，Ｂ，Ｃからなる。そして、要求仕様項目Ａは項目Ａ１，Ａ２，Ａ３、要求仕様項目Ｂは項目Ｂ１，Ｂ２、要求仕様項目Ｃは項目Ｃ１からなる。  
企画用プロジェクト文書は、要求仕様項目Ａ１，Ｂ１からなる。このうち、要求仕様項目Ａ１は項目Ａ１１，Ａ１２、要求仕様項目Ｂ１は項目Ｂ１１，Ｂ１２からなる。項目Ａ１１，Ａ１２は、上記項目Ａ１，Ａ２に基づいて、かつ端末１ａ…１ｎのいずれかから入力される情報に基づいて、生成される。項目Ｂ１１，Ｂ１２は、上記項目Ｂ１，Ｂ２に基づいて、かつ端末１ａ…１ｎのいずれかから入力される情報に基づいて、生成される。
【００１９】
設計仕様テンプレートは、複数の設計仕様項目ａ，ｂ，ｃからなる。そして、設計仕様項目ａは項目ａ１，ａ２，ａ３、設計仕様項目ｂは項目ｂ１，ｂ２、設計仕様項目ｃは項目ｃ１からなる。
【００２０】
設計用プロジェクト文書は、設計仕様項目ａ１，ｂ１からなる。このうち、設計仕様項目ａ１は項目ａ１１，ｂ１２、設計仕様項目ｂ１は項目ｂ１１，ｂ１２からなる。項目ａ１１，ａ１２は、上記項目ａ１，ａ２に基づいて、かつ端末２ａ…２ｎのいずれかから入力される情報に基づいて、生成される。項目ｂ１１，ｂ１２は、上記項目ｂ１，ｂ２に基づいて、かつ端末２ａ…２ｎのいずれかから入力される情報に基づいて、生成される。
【００２１】
また、要求仕様テンプレートと設計仕様テンプレートとの間には、各項目の相互間に関連がある。この関連を図２に破線で示している。すなわち、項目Ａ，Ｂ，Ｃは項目ａ，ｂ，ｃとそれぞれ関連し、項目Ａ１，Ａ２，Ａ３，Ｂ１，Ｂ２，Ｃ１は項目ａ１，ａ２，ａ３，ｂ１，ｂ２，ｃ１とそれぞれ関連している。これらの関連は、要求仕様テンプレートと設計仕様テンプレートとの間の連携として、制御プログラムメモリ１１内の管理プログラムにより管理される。
【００２２】
企画・設計される製品が複写機である場合の要求仕様テンプレート、企画用プロジェクト文書、設計仕様テンプレート、設計用プロジェクト文書の各項目の具体例を、図３に示している。  
すなわち、要求仕様テンプレートの要求仕様項目として、『コピー量』がある。この要求仕様項目『コピー量』は、少なくとも３つの項目『推奨されるコピー量』『標準コピー量』『用紙別コピー量』からなる。これら項目および入力情報に基づいて生成される企画用プロジェクト文書の要求仕様項目として、『コピー量』『推奨されるコピー量』『標準コピー量』『用紙別コピー量』がある。  
設計仕様テンプレートの要求仕様項目として、『推定コピー量』がある。この設計仕様項目『推定コピー量』は、少なくとも３つの項目『月間推奨コピー量』『月間平均コピー量』『用紙サイズ別コピー量』からなる。これら項目および入力情報に基づいて生成される設計用プロジェクト文書の設計仕様項目として、『推定コピー量』『月間推奨コピー量』『月間平均コピー量』『用紙サイズ別コピー量』がある。
【００２３】
要求仕様テンプレートの『コピー量』『推奨されるコピー量』『標準コピー量』『用紙別コピー量』は、設計仕様テンプレートの『推定コピー量』『月間推奨コピー量』『月間平均コピー量』『用紙サイズ別コピー量』とそれぞれ関連している。この関連は、要求仕様テンプレートと設計仕様テンプレートとの間の連携として、制御プログラムメモリ１１内の管理プログラムにより管理される。
【００２４】
サーバ１０は、上記管理プログラムに基づく主要な機能として、次の（１）（２）を有している。  
（１）企画用プロジェクト文書の各要求仕様項目のいずれかに内容の変更があったとき、その内容の変更を設計仕様テンプレート上で報知する制御手段。  
（２）設計用プロジェクト文書の各設計仕様項目のいずれかに内容の変更があったとき、その内容の変更を企画仕様テンプレート上で報知する制御手段。
【００２５】
以上の端末１ａ…１ｎ，２ａ…２ｎ、通信ネットワーク３、サーバ１０、制御プログラムメモリ１１、要求仕様テンプレートメモリ１２、設計仕様テンプレートメモリ１３、企画用プロジェクト文書メモリ１４、および設計用プロジェクト文書メモリ１５により、企画・設計連携システムが構成されている。
【００２６】
つぎに、作用を説明する。  
設計部門の担当者は、たとえば端末２ａのディスプレイにおいて、図４に示すような設計仕様テンプレートを表示しながら、その設計仕様テンプレート上に必要事項を入力する。これにより、設計用プロジェクト文書が生成される。
【００２７】
この設計用プロジェクト文書が一旦生成された後、たとえば『月間推奨コピー量×××，×××』が『月間推奨コピー量△△△，△△△』に変更されたとする。すると、図５に示すように、企画部門の端末１ａ…１ｎのディスプレイで表示される企画仕様テンプレート上で、設計側の『月間推奨コピー量』に変更が発生した旨が、！マークの表示により通知される。変更された内容である『月間推奨コピー量△△△，△△△』については、そのまま文章形式で表示される。
【００２８】
また、企画部門の担当者は、たとえば端末１ａのディスプレイにおいて、図５に示すような企画仕様テンプレートを表示しながら、その企画仕様テンプレート上に必要事項を入力する。これにより、企画用プロジェクト文書が生成される。
【００２９】
この企画用プロジェクト文書が一旦生成された後、たとえば『推奨されるコピー量』が変更されたとする。すると、図４に示すように、設計部門の端末２ａ…２ｎのディスプレイで表示される設計仕様テンプレート上で、要求側の『推奨されるコピー量』に変更が発生した旨が、！マークの表示により通知される。変更された内容については、そのまま文章形式で表示される。  
このように、設計用プロジェクト文書の各設計仕様項目のいずれかに内容の変更があった場合はその内容の変更を企画仕様テンプレート上で報知するとともに、企画用プロジェクト文書の各要求仕様項目のいずれかに内容の変更があった場合はその内容の変更を設計仕様テンプレート上で報知することにより、企画内容の変更および設計内容の変更を企画部門および設計部門の相互間で適切に知らせることができ、しかも変更内容を企画および設計にそれぞれ適切に反映させることができる。
【００３０】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。
【図面の簡単な説明】
【００３１】
【図１】一実施形態の構成を示すブロック図。
【図２】一実施形態における要求仕様テンプレート、企画用プロジェクト文書、設計仕様テンプレート、設計用プロジェクト文書のそれぞれのフォーマットを示す図。
【図３】一実施形態における要求仕様テンプレート、企画用プロジェクト文書、設計仕様テンプレート、設計用プロジェクト文書の各項目の具体例を示す図。
【図４】一実施形態における設計仕様テンプレートを示す図。
【図５】一実施形態における要求仕様テンプレートを示す図。
【符号の説明】
【００３２】
１ａ…１ｎ……企画部門の端末、２ａ…２ｎ……設計部門の端末、３…通信ネットワーク、１０…サーバ（コンピュータ）、１１…制御プログラムメモリ、１２…要求仕様テンプレートメモリ、１３…設計仕様テンプレートメモリ、１４…企画用プロジェクト文書メモリ、１５…設計用プロジェクト文書メモリ
【図１】
2006227917.tif 000003
【図２】
2006227917.tif 000004
【図３】
2006227917.tif 000005
【図４】
2006227917.tif 000006
【図５】
2006227917.tif 000007